【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
ａ） 下面に接着剤を有する第一の平坦な柔軟要素、及び、偏った位置でその一端から第一方向に伸びている１個の第一の細長コネクターから成る第一の要素、
ｂ） 下面に接着剤を有する第二の平坦な柔軟要素、及び、その一端から略第一方向とは反対の第二方向に伸びている１個の第二の細長コネクターから成る第二の要素、
ｃ） 上記の第一の細長コネクターに接続し、傷側エッジの方に第一の平坦な柔軟要素が横に移動するようになっている第一の引張り要素、
ｄ） 上記の第二の細長コネクターに接続し、傷側エッジの方に第二の平坦な柔軟要素を横に移動するようになっている第二の引張り要素、
ｅ） 第一の細長コネクターを第二の平坦な柔軟要素に取付けるための手段及び第二の細長コネクターを第一の平坦な柔軟要素に取付けるための手段、
から成る２要素の医療デバイス。
【請求項２】
ａ）ｉ） 下面に接着剤及びその一端から第一方向に伸びている第一の細長コネクターを有する第一の平坦な柔軟要素、
ｉｉ） 下面に接着剤及びその一端から略上記第一方向と反対の第二方向に伸びている第二の細長コネクターを有する第二の平坦な柔軟要素、
ｉｉｉ） 上記第一の細長コネクターに接続し、傷側エッジの方に第一の平坦な柔軟要素が横に移動することに適合させた第一の引張り要素、
ｉｖ） 上記の第二の細長コネクターに接続し、傷側エッジの方に第二の平坦な柔軟要素を横に移動することに適合させた第二の引張り要素、
ｖ） 第一の細長コネクターを第二の平坦な柔軟要素に取付けるための手段及び第二の細長コネクターを第一の平坦な柔軟要素に取付けるための手段、
から成る医療デバイスを供給すること、
ｂ） 傷の第一の側に沿って、患者の皮膚に上記第一の柔軟要素の上記下面を付けること、
ｃ） 上記の傷の第二の側に沿って、患者の皮膚に上記第二の柔軟要素の上記下面を付けること、
ｄ） 上記細長コネクターが傷または切開部を閉じるのに十分な伸張力を受けるまで、上記第一及び第二の引張り要素を同時に引張ること、
ｅ） 上記第一の細長コネクターを上記第二の柔軟要素に取付けること、
ｆ） 上記第二の細長コネクターを上記第一の柔軟要素に取付けること、
のステップから成る傷または切開部を閉じる方法。
【請求項３】
ａ）第一の平坦な柔軟要素、及び、第一方向にその一端から伸びている複数の第一の細長コネクターから成る第一の要素、
ｂ）略第一方向と反対の第二方向にその一端から伸びている１以上の第二の細長コネクターを有している第二の平坦な柔軟要素から成る第二の要素、
ｃ）上記の第一の細長コネクターに接続され、傷側エッジの方に第一の平坦な柔軟要素を横に移動することに適合させた第一の引張り要素、その第一の引張り要素が下面に接着剤を有すること、
ｄ）上記の第二の細長コネクターに接続され、傷側エッジの方に第一の平坦な柔軟要素を横に移動することに適合させた第二の引張り要素、その第二の引張り要素が下面に接着剤を有すること、
ｅ）第一の細長コネクターを第二の平坦な柔軟要素に取付ける手段及び第二の細長コネクターを第一の平坦な柔軟要素に取付ける手段、
から成る２要素の医療デバイス。
【請求項４】
ａ）ｉ）下面に接着剤を有する第一の平坦な柔軟要素及び第一方向にその一端から伸びている複数の第一の細長コネクター、
ｉｉ）下面に接着剤を有する第二の平坦な柔軟要素及び略上記第一方向とは反対の第二方向にその一端から伸びている１以上の第二の細長コネクター、
ｉｉｉ）上記の第一の細長コネクターに接続し及び傷側エッジの方に第一の平坦な柔軟要素が横に移動することに適合させた第一の引張り要素、その第一の引張り要素が下面に接着剤を有すること、
ｉｖ）上記の第二の細長コネクターに接続し及び傷側エッジの方に第二の平坦な柔軟要素を横に移動することに適合させた第二の引張り要素、その第二の引張り要素が下面に接着剤を有すること、
ｖ）第一の細長コネクターを第二の平坦な柔軟要素に取付けるための手段及び第二の細長コネクターを第一の平坦な柔軟要素に取付けるための手段、
から成る医療デバイスを提供すること、
ｂ）上記第一の柔軟要素の上記下面を患者の皮膚に付着すること、
ｃ）上記第二の柔軟要素の上記下面を患者の皮膚に付着すること、
ｄ）皮膚を希望する程度まで延ばすのに十分な伸張力を上記細長コネクターが受けるまで、上記第一及び第二の引張り要素を同時に引張ること、
ｅ）上記第一の細長コネクターを上記第二の柔軟要素に及び上記第一の引張り要素を患者の皮膚に付着すること、
ｆ）上記第二の細長コネクターを上記第一の柔軟要素に及び上記第二の引張り要素を患者の皮膚に付着すること、
のステップから成る外科処置の前に皮膚を延ばすための方法。
【手続補正２】
【補正対象書類名】明細書
【補正対象項目名】００３６
【補正方法】変更
【補正の内容】
【００３６】
図８を参照すると、使用状態では、偏らせたことにより、それぞれの傷側エッジ（２０及び４２）（即ち、傷又は切開部に最も近く位置している平坦な柔軟要素のエッジ）が実質的に平行かつ中心寄りに並び、細長コネクター（１５及び３５）が実質的に平行になるように、２要素デバイスの各要素（５４及び５６）が位置合わせするようにデバイスの位置を配置できる。図８は各細長コネクターを偏らせたことをその最も極端な実施例（即ち、各細長コネクターの一端がそれぞれの平坦な柔軟要素の一端から直線的に伸びている）で示しているが、細長コネクターをそのように極端に偏らせる必要はない。デバイスの各要素がここで示したように第一及び第二の細長コネクターがお互いに接触しないように配置できれば、偏りの程度は十分である。配置したとき、第一の平坦な柔軟要素（５）から伸びている細長コネクター（１５）の裏面に接着剤を塗布した部分が第二の平坦な柔軟要素（２５）に取付けられる。同様に、第二の平坦な柔軟要素（２５）から伸びている細長コネクター（３５）の裏面に接着剤を塗布した部分が第一の平坦な柔軟要素（５）に取付けられる。
本発明の好ましい態様を整理して記載すれば、下記のとおりである。
１．ａ）下面に接着剤を有する第一の平坦な柔軟要素、及び、偏った位置でその一端から第一方向に伸びている１個の第一の細長コネクターから成る第一の要素、
ｂ） 下面に接着剤を有する第二の平坦な柔軟要素、及び、その一端から略第一方向とは反対の第二方向に伸びている１個の第二の細長コネクターから成る第二の要素、
ｃ） 上記の第一の細長コネクターに接続し、傷側エッジの方に第一の平坦な柔軟要素が横に移動するようになっている第一の引張り要素、
ｄ） 上記の第二の細長コネクターに接続し、傷側エッジの方に第二の平坦な柔軟要素を横に移動するようになっている第二の引張り要素、
ｅ） 第一の細長コネクターを第二の平坦な柔軟要素に取付けるための手段及び第二の細長コネクターを第一の平坦な柔軟要素に取付けるための手段、
から成る２要素の医療デバイス。
２．要素ａ）からｄ）が実質的に非弾性材料から作られ、または、非弾性構造要素で補強され、それにより、デバイスが実質的に非弾性にした弾性材料から作られたことを特徴とする上記１の医療デバイス。
３．帯具の取付後に第一及び第二の引張り要素を除去することに適合させたことを特徴とする上記１の医療デバイス。
４．第一及び第二の引張り要素が剛性であることを特徴とする上記１の医療デバイス。
５．第一及び第二の引張り要素が非剛性であるが、剛性要素で補強されていることを特徴とする上記１の医療デバイス。
６．要素ａ）からｄ）がシート状素材から型で打ち抜きされていることを特徴とする上記１の医療デバイス。
７．傷または切開部の両側で皮膚に貼り付けられる第一及び第二の平坦な柔軟要素のエッジを、傷の治癒を促進するために皮膚のエッジをめくり返すことに適合させていることを特徴とする上記１の医療デバイス。
８．第一及び第二の平坦な柔軟要素のエッジを、皮膚のエッジをめくり返すために角度を付けて曲げるか、湾曲させることを特徴とする上記１の医療デバイス。
９．傷の上の障害物が無い表面積を増加し、それにより、滲出液を排出しやすくし、医薬品を投与しやすくするために、各細長コネクターの一部を切り抜いたことを特徴とする上記１の医療デバイス。
１０．第一及び第二の平坦な柔軟要素が傷を閉じるための位置合わせをすることに適合させたことを特徴とする上記１の医療デバイス。
１１．上記の適合させることがお互いの位置合わせ、及び（または）、皮膚に直接置いたマークとの位置合わせのための、第一及び第二の平坦な柔軟要素上の位置合わせマークから成ることを特徴とする上記１０の医療デバイス。
１２．経皮的医薬品投与に適合させたことを特徴とする上記１の医療デバイス。
１３．さらに伸張力の弾性的標識要素を含むことを特徴とする上記１の医療デバイス。
１４．伸張力の弾性的標識要素が引張り要素と共に除去可能なことを特徴とする上記１３の医療デバイス。
１５．さらに、傷または切開部にごく近く、かつ、実質的に平行な第一及び第二の平坦な柔軟要素のエッジに取付けられた剛性のポリマー棒材を含むことを特徴とする上記１の医療デバイス。
１６．ａ）ｉ） 下面に接着剤及びその一端から第一方向に伸びている第一の細長コネクターを有する第一の平坦な柔軟要素、
ｉｉ） 下面に接着剤及びその一端から略上記第一方向と反対の第二方向に伸びている第二の細長コネクターを有する第二の平坦な柔軟要素、
ｉｉｉ） 上記第一の細長コネクターに接続し、傷側エッジの方に第一の平坦な柔軟要素が横に移動することに適合させた第一の引張り要素、
ｉｖ） 上記の第二の細長コネクターに接続し、傷側エッジの方に第二の平坦な柔軟要素を横に移動することに適合させた第二の引張り要素、
ｖ） 第一の細長コネクターを第二の平坦な柔軟要素に取付けるための手段及び第二の細長コネクターを第一の平坦な柔軟要素に取付けるための手段、
から成る医療デバイスを供給すること、
ｂ） 傷の第一の側に沿って、患者の皮膚に上記第一の柔軟要素の上記下面を付けること、
ｃ） 上記の傷の第二の側に沿って、患者の皮膚に上記第二の柔軟要素の上記下面を付けること、
ｄ） 上記細長コネクターが傷または切開部を閉じるのに十分な伸張力を受けるまで、上記第一及び第二の引張り要素を同時に引張ること、
ｅ） 上記第一の細長コネクターを上記第二の柔軟要素に取付けること、
ｆ） 上記第二の細長コネクターを上記第一の柔軟要素に取付けること、
のステップから成る傷または切開部を閉じる方法。
１７．さらに、
ａ） 上記第一の細長コネクターから上記第一の引張り要素を除去すること、
ｂ） 上記第二の細長コネクターから上記第二の引張り要素を除去すること、
のステップを含むことを特徴とする上記１６の方法。
１８．さらに、
ａ） 上記第二の平坦な柔軟要素のそばの患者の皮膚に上記第一の引張り要素を付けること、
ｂ） 上記第一の平坦な柔軟要素のそばの患者の皮膚に上記第二の引張り要素を付けること、
のステップを含むことを特徴とする上記１６の方法。
１９．第二の平坦な柔軟要素に対して第一の平坦な柔軟要素を横方向に調節しやすくするため、第一及び第二の細長コネクターを十分な間隔で離してあることを特徴とする上記１の医療デバイス。
２０．引張り要素がその下面に接着剤を有することを特徴とする上記１の医療デバイス。
２１．ａ）第一の平坦な柔軟要素、及び、第一方向にその一端から伸びている複数の第一の細長コネクターから成る第一の要素、
ｂ）略第一方向と反対の第二方向にその一端から伸びている１以上の第二の細長コネクターを有している第二の平坦な柔軟要素から成る第二の要素、
ｃ）上記の第一の細長コネクターに接続され、傷側エッジの方に第一の平坦な柔軟要素を横に移動することに適合させた第一の引張り要素、その第一の引張り要素が下面に接着剤を有すること、
ｄ）上記の第二の細長コネクターに接続され、傷側エッジの方に第一の平坦な柔軟要素を横に移動することに適合させた第二の引張り要素、その第二の引張り要素が下面に接着剤を有すること、
ｅ）第一の細長コネクターを第二の平坦な柔軟要素に取付ける手段及び第二の細長コネクターを第一の平坦な柔軟要素に取付ける手段、
から成る２要素の医療デバイス。
２２．要素ａ）からｄ）が実質的に非弾性材料から作られ、又は、非弾性構造要素で補強され、それにより、そのデバイスを実質的に非弾性になっている弾性材料から作られていることを特徴とする上記２１の医療デバイス。
２３．帯具の取付後に第一及び第二の引張り要素を除去することに適合させたことを特徴とする上記２１の医療デバイス。
２４．上記の第一及び第二の細長コネクターが交互配置になっていることを特徴とする上記２１の医療デバイス。
２５．第一の細長コネクターがお互いに隣接して、かつ、中心寄りに位置し、かつ、第二の細長コネクターがその帯具の外側端部で、その第一の細長コネクターの側面に位置していることを特徴とする上記２１の医療デバイス。
２６．第一及び第二の引張り要素が剛性であることを特徴とする上記２１の医療デバイス。
２７．第一及び第二の引張り要素が非剛性であるが、剛性要素で補強されていることを特徴とする上記２１の医療デバイス。
２８．要素ａ）からｄ）がシート状素材から型で打ち抜きされていることを特徴とする上記２１の医療デバイス。
２９．傷または切開部の両側で皮膚に貼り付けられる第一及び第二の平坦な柔軟要素のエッジを、傷の治癒を促進するために皮膚のエッジをめくり返すことに適合させていることを特徴とする上記２１の医療デバイス。
３０．第一及び第二の平坦な柔軟要素のエッジを、皮膚のエッジをめくり返すために角度を付けて曲げるか、湾曲させることを特徴とする上記２１の医療デバイス。
３１．傷の上の障害物が無い表面積を増加し、それにより、滲出液を排出しやすくし、医薬品を投与しやすくするために、細長コネクターの一部を切り抜いたことを特徴とする上記２１の医療デバイス。
３２．第一及び第二の平坦な柔軟要素を、傷を閉じるための位置合わせをすることに適合させたことを特徴とする上記２１の医療デバイス。
３３．上記の適合させることがお互いの位置合わせ、及び（または）、皮膚に直接置いたマークとの位置合わせのための、第一及び第二の平坦な柔軟要素上の位置合わせマークから成ることを特徴とする上記３２の医療デバイス。
３４．経皮的医薬品投与に適合させたことを特徴とする上記２１の医療デバイス。
３５．さらに伸張力の弾性的標識要素を含むことを特徴とする上記２１の医療デバイス。
３６．伸張力の弾性的標識要素が引張り要素と共に除去可能なことを特徴とする上記３５の医療デバイス。
３７．さらに、傷または切開部にごく近く、かつ、実質的に平行な第一及び第二の平坦な柔軟要素のエッジに取付けられた剛性のポリマー棒材を含むことを特徴とする上記２１の医療デバイス。
３８．ａ）ｉ）下面に接着剤を有する第一の平坦な柔軟要素及び第一方向にその一端から伸びている複数の第一の細長コネクター、
ｉｉ）下面に接着剤を有する第二の平坦な柔軟要素及び略上記第一方向とは反対の第二方向にその一端から伸びている１以上の第二の細長コネクター、
ｉｉｉ）上記の第一の細長コネクターに接続し及び傷側エッジの方に第一の平坦な柔軟要素が横に移動することに適合させた第一の引張り要素、その第一の引張り要素が下面に接着剤を有すること、
ｉｖ）上記の第二の細長コネクターに接続し及び傷側エッジの方に第二の平坦な柔軟要素を横に移動することに適合させた第二の引張り要素、その第二の引張り要素が下面に接着剤を有すること、
ｖ）第一の細長コネクターを第二の平坦な柔軟要素に取付けるための手段及び第二の細長コネクターを第一の平坦な柔軟要素に取付けるための手段、
から成る医療デバイスを提供すること、
ｂ）上記第一の柔軟要素の上記下面を患者の皮膚に付着すること、
ｃ）上記第二の柔軟要素の上記下面を患者の皮膚に付着すること、
ｄ）皮膚を希望する程度まで延ばすのに十分な伸張力を上記細長コネクターが受けるまで、上記第一及び第二の引張り要素を同時に引張ること、
ｅ）上記第一の細長コネクターを上記第二の柔軟要素に及び上記第一の引張り要素を患者の皮膚に付着すること、
ｆ）上記第二の細長コネクターを上記第一の柔軟要素に及び上記第二の引張り要素を患者の皮膚に付着すること、
のステップから成る外科処置の前に皮膚を延ばすための方法。
３９．さらに、
ａ）上記第一の細長コネクターから上記第一の引張り要素を除去すること、
ｂ）上記第二の細長コネクターから上記第二の引張り要素を除去すること、
のステップから成る上記３８の方法。
４０．さらに、
ａ）上記第一の引張り要素を上記第二の平坦な柔軟要素のそばの患者の皮膚に付着させること、
ｂ）上記第二の引張り要素を上記第一の平坦な柔軟要素のそばの患者の皮膚に付着させること、
のステップから成る上記３８の方法。
４１．第二の平坦な柔軟要素に対して第一の平坦な柔軟要素を横方向に調節しやすくするため、その細長コネクターを十分な間隔で離してあることを特徴とする上記２１の医療デバイス。